(57)【要約】【課題】  片手でも作業することが可能であり、磁石により異形ダイスが落下することなく、取り付けることができ、また、案内ピンを着脱自在に設けることにより、異形ダイスの大きさに合わせて取り替えることができる異形ダイス用治具を提供する。【解決手段】  金型に対して異形ダイスを挿入する専用治具であって、異形ダイスの側面に設けた案内溝に対応する案内ピンを穿設した治具本体の底部に、磁石を設けてなることを特徴とする異形ダイス用治具。【選択図】図１
2009274134.tif 000002
【特許請求の範囲】
【請求項１】
金型に対して異形ダイスを挿入する治具であって、異形ダイスの側面に設けた案内溝に対応する案内ピンを突設した治具本体の底部に、磁石を設けてなることを特徴とする異形ダイス用治具。
【請求項２】
案内ピンが、治具本体の底面外側に位置し、軸心と平行して突設してなることを特徴とする請求項１記載の異形ダイス用治具。
【請求項３】
案内ピンが、治具本体に対して、着脱自在に設けるべく取付部を設けてなることを特徴とする請求項１又は２記載の異形ダイス用治具。
【請求項４】
異形ダイスの長さより、案内ピンの長さを長くしてなることを特徴とする請求項１、２又は３記載の異形ダイス用治具。
【請求項５】
案内ピンの断面を円形あるいは多角形とすることを特徴とする請求項１、２、３又は４記載の異形ダイス用治具。
【請求項６】
治具本体に、案内ピンを引き抜くための引抜治具を着脱自在に設けたことを特徴とする請求項１、２、３、４又は５記載の異形ダイス用治具。
【発明の詳細な説明】
【技術分野】
【０００１】  本発明は、主に金型に対して異形ダイスを挿入する治具に関するものである。
【背景技術】
【０００２】  従来の技術としては、同様なものはないが、例えば同発明者が開発したパンチリテーナー用パンチ挿入治具がある。
これは、パンチリテーナーに穿設したパンチ挿入孔の回り止めツバ溝に、回り止めツバ付パンチの回り止めツバを挿入すべく、パンチリテーナーの上面に着脱自在に取り付ける治具本体の垂直状の挿入面と回り止めツバ溝の係止面とが同一面あるいは同一軸線上に形成してなるものである。（特許文献１参照）【０００３】  また、同発明者が開発した別のパンチリテーナー用パンチ挿入治具がある。
これは、パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を上下移動可能に設けてなるべく垂直支持部を設けてなることを特徴とするパンチリテーナー用パンチ挿入治具である。（特許文献２参照）【０００４】  なお、実際に異形ダイスを金型に挿入する場合、現状では異形ダイスの側面に設けた案内溝に、単体の案内ピンを当接し、異形ダイスと案内ピンを手で持ったまま金型の取付孔の上方より、取付孔に設けた取付溝に案内ピンを挿入して異形ダイスを取付孔に挿入し、銅ハンマー等で異形ダイスの上面を叩いて挿入（圧入）する。
挿入（圧入）後、案内ピンをプライヤーで引き抜き、取り付けを完了している。
【特許文献１】  特開２０００−１５８０６０号公報
【特許文献２】  特開２００８−４９３９４号公報
【発明の開示】
【発明が解決しようとする課題】
【０００５】  上記２件の特許においては、目的と構造が異なるものであり、参考として記載した。
なお、現状のやり方では、両手を使用しないと取り付けができず、また、銅ハンマー等で異形ダイスを直接叩くため、変形する等の問題があった。
さらに、取付後、案内ピンをプライヤー等で引き抜かなければならず、作業に多大な労力が掛かるものである。【０００６】  本発明は、上記の問題点を解決しようとするもので、片手でも作業することが可能であり、磁石により異形ダイスが落下することなく、取り付けることができる。
また、案内ピンを着脱自在に設けることにより、異形ダイスの大きさに合わせて取り替えることができる異形ダイス用治具を提供するものである。
【課題を解決するための手段】
【０００７】  本発明は、上記目的を達成するために、金型に対して異形ダイスを挿入する治具であって、異形ダイスの側面に設けた案内溝に対応する案内ピンを突設した治具本体の底部に、磁石を設けてなる。
案内ピンが、治具本体の底面外側に位置し、軸心と平行して突設してなる。
案内ピンが、治具本体に対して、着脱自在に設けるべく取付部を設けてなる。
異形ダイスの長さより、案内ピンの長さを長くしてなる。
案内ピンの断面を円形あるいは多角形とする。
治具本体に、案内ピンを引き抜くための引抜治具を着脱自在に設けたことを特徴とする。
【発明の効果】
【０００８】１）、治具本体の底部に磁石を設けることにより、異形ダイスを確実に保持することができ、片手でも作業することができる。
２）、案内ピンを突設することにより、異形ダイスの側面に設けた案内溝に対応し、金型への取り付けが簡単に行える。
３）、治具本体が案内ピンに対して着脱自在に設けることにより各異形ダイスに適合する案内ピンを取り付けることができる。
４）、案内ピンの長さを長くすることにより、金型への案内（挿入）が、スムーズに行え、素人でも簡単に取り付けできる。
５）、案内ピンの断面を円形にすることにより、加工性がよく、安価にできる。なお、断面を多角形にすることにより、より精度高く異形ダイスを取り付けることができる。
６）、引抜治具を着脱自在に設けることにより、特に案内ピンの径が大きい場合、異形ダイス取付後、異形ダイス用治具を引き抜くのに大きな力を必要とするが、引抜治具に引抜工具を取り付けることにより、容易に上方へ引き抜くことができる。
【発明を実施するための最良の形態】
【０００９】  異形ダイス用治具１は、金型に対して異形ダイスを挿入する異形ダイス用治具で、中央に握部２ａを、上部に頭部２ｂを、下部に底部２ｃを形成してなる治具本体２の底部２ｃ底面外側の位置に、軸心Ｇと平行して先端を尖端状にした断面円形状の案内ピン３を突設してなると共に、底部２ｃ中央に磁石４を設けてある。【００１０】  異形ダイス用治具ＩＤについて説明する。
この異形ダイスＩＤは、中央に異形の抜き孔Ｎを設けると共に、位置合わせのための案内溝Ｍ（この実施例の場合、半円形）を外周縦方向に設けてある。【００１１】  使用する金型Ｋについて説明する。
この金型Ｋは、上記異形ダイスＩＤと同形の取付孔ＴＫを形設すると共に、案内ピン３を挿入する挿入溝ＳＭ（この実施例の場合、半円形）を形設してある。【００１２】  上記異形ダイス用治具１を使用して上記異形ダイスＩＤを金型に挿入（取り付ける）する手順について説明する。
まず、異形ダイス用治具１の底部２ｃに設けた磁石４に異形ダイスＩＤを付ける。
この時、異形ダイスＩＤの案内溝Ｍを案内ピン３に当接する。（図６参照）
この状態で、金型Ｋの取付孔ＴＫの上方に持って行き、まず、案内ピン３の先端を挿入溝ＳＭに挿入し、異形ダイスＩＤの外周面と取付孔ＴＫの内周面とを合わせ、異形ダイス用治具１の握部２ａを手（図示せず）で持ち、異形ダイス用治具１の頭部２ｂを銅製等のハンマーＨで叩くことにより、異形ダイスＩＤを取付孔ＴＫの所要位置に正確に取り付けることができるものである。【００１３】  つぎに、異形ダイス用治具の第２実施例について説明する。
異形ダイス用治具２１は、底部２２ｃの側方に、案内ピン２３を着脱自在に固定するピン穴２３ａ１と固定ビス２３ａ２とからなる取付部２３を設けてなるもので、異形ダイスの長さより適宜長い案内ピンを必要に応じて差し替えることができるものである。【００１４】  つづいて、異形ダイス用治具の第３実施例について説明する。
異形ダイス用治具３１は、治具本体３２の頭部３２ｂの頂部３２ｂ１を円錐台形（叩いても雌ネジ５ａに影響を与えないため）とし、その下方外周に雄ネジ部３２ｂ２を形設すると共に、雄ネジ部３２ｂ２に、内周に雌ネジ部５ａを形設し、上部に雄ネジ軸５ｂを突設してなる引抜治具５を着脱自在に設けてある。
なお、案内ピン３３は断面四角形状としてなる。【００１５】  上記各実施例において、治具本体の形状及び材質、案内ピンの材質及び長さ、大きさ等も必要に応じて決めればよい。
また、引抜治具に取り付ける引抜工具ＨＫは、特に限定するものではなく、例えばハンドル付高ナット等を雄ネジ部３２ｂ２に螺入して上方に引き抜くものである。
【図面の簡単な説明】
【００１６】
【図１】  本発明の第１実施例を示す異形ダイス用治具の正面図。
【図２】  本発明の第１実施例を示す異形ダイス用治具の底面図。
【図３】  本発明の第１実施例を示す異形ダイス用治具の平面図。
【図４】  異形ダイスの一例を示す平面図。
【図５】  異形ダイスの一例を示す縦断正面図。
【図６】  本発明の第１実施例の異形ダイス用治具に異形ダイスを取り付けた状態図。
【図７】  金型の一例を示す要部の平面図。
【図８】  金型の一例を示す要部の縦断正面図。
【図９】  本発明の第１実施例の異形ダイス用治具を使用し、金型に異形ダイスを取り付ける状態図。
【図１０】  本発明の第２実施例を示す異形ダイス用治具の要部正面図。
【図１１】  本発明の第３実施例を示す異形ダイス用治具の一部縦断正面図。
【図１２】  本発明の第３実施例を示す異形ダイス用治具の底面図。
【符号の説明】
【００１７】１――――異形ダイス用治具
２――――治具本体
２ａ―――握部
２ｂ―――頭部
２ｃ―――底部
３――――案内ピン
４――――磁石
５――――引抜治具
５ａ―――雌ネジ
Ｇ――――軸心
ＩＤ―――異形ダイス
Ｎ――――抜き孔
Ｍ――――案内溝
Ｋ――――金型
ＴＫ―――取付孔
ＳＭ―――挿入溝
Ｈ――――ハンマー
ＨＫ―――引抜工具
２３―――取付部
２３ａ１―ピン穴
２３ａ２―固定ビス
３２ｂ１―頂部
３２ｂ２―雄ネジ部
【図１】
2009274134.tif 000003
【図２】
2009274134.tif 000004
【図３】
2009274134.tif 000005
【図４】
2009274134.tif 000006
【図５】
2009274134.tif 000007
【図６】
2009274134.tif 000008
【図７】
2009274134.tif 000009
【図８】
2009274134.tif 000010
【図９】
2009274134.tif 000011
【図１０】
2009274134.tif 000012
【図１１】
2009274134.tif 000013
【図１２】
2009274134.tif 000014